(57)【要約】【課題】  印刷に使用する記録紙種類等の設定操作を容易にする。【解決手段】  受付部がユーザから記録紙サイズの選択を受け付けると（Ｓ１でＹＥＳ）、検索部が、当該記録紙サイズに組合せられている記録紙種類及び記録紙名称を組合せ記憶手段から検索して読み出し（Ｓ２）、この読み出された組合せを表示制御部が表示部に表示させ（Ｓ３でＹＥＳ，Ｓ４）、組合せ受付部が、表示部に表示された記録紙サイズ、記録紙種類及び記録紙名称からなる組合せから、ユーザによる所望の組合せの選択を受け付けるようになっている（Ｓ５）。【選択図】      図４
2005298202.tif 000002
【特許請求の範囲】
【請求項１】
記録紙サイズと記録紙種類と記録紙名称との組合せを記憶する組合せ記憶手段と、
ユーザに対する操作メッセージを表示する表示手段と、
ユーザから記録紙サイズの選択を受け付ける受付手段と、
前記受付手段によってユーザから受け付けられた記録紙サイズが含まれている前記組合せを前記組合せ記憶手段から検索して読み出す検索手段と、
前記検索手段によって前記組合せ記憶手段から読み出された前記組合せを、前記表示手段に表示させる表示制御手段と、
前記表示制御手段が前記表示手段に表示させた記録紙サイズ、記録紙種類及び記録紙名称の組合せから、ユーザによる所望の組合せの選択を受け付ける組合せ受付手段と
を備えた記録紙受付システム。
【請求項２】
記録紙に関する各種情報の組合せを記憶する組合せ記憶手段と、
ユーザに対する操作案内を表示する表示手段と、
ユーザから所望の給紙カセットの選択を受け付ける受付手段と、
前記受付手段によってユーザから給紙カセットの選択が受け付けられたときに、前記組合せ記憶手段に記憶されている前記組合せを読み出す検索手段と、
前記検索手段によって前記組合せ記憶手段から読み出された前記組合せを、前記表示手段に表示させる表示制御手段と、
前記表示制御手段が前記表示手段に表示させた前記組合せから、ユーザによる所望の組合せの選択が前記組合せ受付手段によって受け付けられた場合、この組合せが示す記録紙の各種情報を、前記受付手段で受け付けられた給紙カセットに関連付けて設定する設定手段と
を備えた記録紙設定システム。
【請求項３】
給紙カセットに収容されている記録紙のサイズを検知する記録紙サイズ検知手段を備え、
前記設定手段は、前記記録紙サイズ検知手段によって検知された記録紙サイズの含まれる組合せが、前記検索手段による検索で前記組合せ記憶手段から１つしか読み出されない場合は、この組合せが示す記録紙の各種情報を、前記記録紙サイズ検知手段による記録紙サイズ検知の対象となった給紙カセットに関連付けて設定する請求項２に記載の記録紙設定システム。
【請求項４】
前記検索手段は、前記記録紙サイズ検知手段が検知した記録紙サイズが含まれる組合せを、前記組合せ記憶手段から検索して読み出し、
前記表示制御手段は、前記検索手段によって読み出された前記組合せを前記表示部に表示させ、
前記設定手段は、前記組合せ受付手段によって、前記表示制御手段が前記表示手段に表示させた前記組合せから、ユーザによる所望の組合せの選択が受け付けられた場合、この組合せが示す記録紙の各種情報を、前記記録紙サイズ検知手段によって記録紙サイズが検知された記録紙が収容されている給紙カセットに関連付けて設定する請求項３に記載の記録紙設定システム。
【請求項５】
記録紙に関する各種情報の組合せを記憶する組合せ記憶手段と、ユーザに対する操作案内を表示する表示手段とを備えた画像形成装置に対して、記録紙に関する設定を行う記録紙設定プログラムであって、
ユーザから所望の給紙カセットの選択を受け付ける受付手段と、
前記受付手段によってユーザから給紙カセットの選択が受け付けられたときに、前記組合せ記憶手段に記憶されている前記組合せを読み出す検索手段と、
前記検索手段によって前記組合せ記憶手段から読み出された前記組合せを、前記表示手段に表示させる表示制御手段と、
前記表示制御手段が前記表示手段に表示させた前記組合せから、ユーザによる所望の組合せの選択が前記組合せ受付手段によって受け付けられた場合、この組合せが示す記録紙の各種情報を、前記受付手段で受け付けられた給紙カセットに関連付けて設定する設定手段として
コンピュータを機能させる記録紙設定プログラム。
【発明の詳細な説明】
【技術分野】
【０００１】
本発明は、コピー機やファクシミリ装置等の画像形成装置において、記録紙に関してサイズ、種類、名称等の各種設定を行う技術に関するものである。
【背景技術】
【０００２】
従来、記録紙に関してサイズ、種類、名称等の設定が可能な画像記録装置として、特許文献１に示されるものが提案されている。この画像記録装置は、名称設定手段により給紙トレイに所望の名称が設定可能とされ、報知手段が、この設定された給紙トレイの名称を記憶手段から読み出して報知するようになっている。これにより、給紙トレイに付された名称から、この給紙カセットに収容されている記録紙の種類を識別することを容易にしている。
【特許文献１】特開２００２−２４０９６１号公報
【発明の開示】
【発明が解決しようとする課題】
【０００３】
しかし、上記の画像記録装置の場合、給紙カセットに名称を付すことで、給紙カセットに収容されている記録紙の種類等がユーザに分かりやすくしているだけで、ユーザが、印刷に使用する記録紙のサイズや記録紙種類等を設定する操作が容易になるわけではない。
【０００４】
本発明は、上記の問題を解決するためになされたもので、印刷に使用する記録紙種類等の設定操作を容易にすることができる記録紙受付システム、記録紙設定システム及び記録紙設定プログラムを提供することを目的とするものである。
【課題を解決するための手段】
【０００５】
本発明の請求項１に記載の発明は、記録紙サイズと記録紙種類と記録紙名称との組合せを記憶する組合せ記憶手段と、
ユーザに対する操作メッセージを表示する表示手段と、
ユーザから記録紙サイズの選択を受け付ける受付手段と、
前記受付手段によってユーザから受け付けられた記録紙サイズが含まれている前記組合せを前記組合せ記憶手段から検索して読み出す検索手段と、
前記検索手段によって前記組合せ記憶手段から読み出された前記組合せを、前記表示手段に表示させる表示制御手段と、
前記表示制御手段が前記表示手段に表示させた記録紙サイズ、記録紙種類及び記録紙名称の組合せから、ユーザによる所望の組合せの選択を受け付ける組合せ受付手段と
を備えた記録紙受付システムである。
【０００６】
この構成では、受付手段がユーザから記録紙サイズの選択を受け付けると、検索手段が、当該記録紙サイズに組合せられている記録紙種類及び記録紙名称を組合せ記憶手段から検索して読み出し、この読み出された組合せを表示制御手段が表示手段に表示させ、組合せ受付手段が、表示手段に表示された記録紙サイズ、記録紙種類及び記録紙名称からなる組合せから、ユーザによる所望の組合せの選択を受け付けるようになっている。
【０００７】
また、請求項２に記載の発明は、記録紙に関する各種情報の組合せを記憶する組合せ記憶手段と、
ユーザに対する操作案内を表示する表示手段と、
ユーザから所望の給紙カセットの選択を受け付ける受付手段と、
前記受付手段によってユーザから給紙カセットの選択が受け付けられたときに、前記組合せ記憶手段に記憶されている前記組合せを読み出す検索手段と、
前記検索手段によって前記組合せ記憶手段から読み出された前記組合せを、前記表示手段に表示させる表示制御手段と、
前記表示制御手段が前記表示手段に表示させた前記組合せから、ユーザによる所望の組合せの選択が前記組合せ受付手段によって受け付けられた場合、この組合せが示す記録紙の各種情報を、前記受付手段で受け付けられた給紙カセットに関連付けて設定する設定手段と
を備えた記録紙設定システムである。
【０００８】
また、請求項５に記載の発明は、記録紙に関する各種情報の組合せを記憶する組合せ記憶手段と、ユーザに対する操作案内を表示する表示手段とを備えた画像形成装置に対して、記録紙に関する設定を行う記録紙設定プログラムであって、
ユーザから所望の給紙カセットの選択を受け付ける受付手段と、
前記受付手段によってユーザから給紙カセットの選択が受け付けられたときに、前記組合せ記憶手段に記憶されている前記組合せを読み出す検索手段と、
前記検索手段によって前記組合せ記憶手段から読み出された前記組合せを、前記表示手段に表示させる表示制御手段と、
前記表示制御手段が前記表示手段に表示させた前記組合せから、ユーザによる所望の組合せの選択が前記組合せ受付手段によって受け付けられた場合、この組合せが示す記録紙の各種情報を、前記受付手段で受け付けられた給紙カセットに関連付けて設定する設定手段として
コンピュータを機能させるものである。
【０００９】
これらの構成は、受付手段によってユーザから給紙カセットの選択が受け付けられると、検索手段が組合せ記憶手段から読み出した組合せを、表示制御手段が表示手段に表示させ、設定手段が、組合せ受付手段によってユーザから受け付けられた組合せが示す記録紙の各種情報を、受付手段で受け付けられた給紙カセットに関連付けて設定するようになっている。
【００１０】
また、請求項３に記載の発明は、請求項２に記載の記録紙設定システムであって、給紙カセットに収容されている記録紙のサイズを検知する記録紙サイズ検知手段を備え、
前記設定手段は、前記記録紙サイズ検知手段によって検知された記録紙サイズの含まれる組合せが、前記検索手段による検索で前記組合せ記憶手段から１つしか読み出されない場合は、この組合せが示す記録紙の各種情報を、前記記録紙サイズ検知手段による記録紙サイズ検知の対象となった給紙カセットに関連付けて設定するものである。
【００１１】
この構成では、記録紙サイズ検知手段が、給紙カセットに収容されている記録紙のサイズを検知し、当該検知された記録紙サイズの含まれる組合せを検索手段が組合せ記憶手段から１つしか読み出さない場合は、設定手段が、この組合せが示す記録紙の各種情報を、記録紙サイズの検知の対象となった給紙カセットに関連付けて設定するようになっている。
【００１２】
また、請求項４に記載の発明は、請求項３に記載の記録紙設定システムであって、前記検索手段は、前記記録紙サイズ検知手段が検知した記録紙サイズが含まれる組合せを、前記組合せ記憶手段から検索して読み出し、
前記表示制御手段は、前記検索手段によって読み出された前記組合せを前記表示部に表示させ、
前記設定手段は、前記組合せ受付手段によって、前記表示制御手段が前記表示手段に表示させた前記組合せから、ユーザによる所望の組合せの選択が受け付けられた場合、この組合せが示す記録紙の各種情報を、前記記録紙サイズ検知手段によって記録紙サイズが検知された記録紙が収容されている給紙カセットに関連付けて設定するものである。
【００１３】
この構成では、記録紙サイズ検知手段が、給紙カセットに収容されている記録紙のサイズを検知すると、検索手段が、当該検知された記録紙サイズが含まれる組合せを組合せ記憶手段から読み出し、この読み出された組合せを表示制御手段が表示部に表示させ、組合せ受付手段で、当該表示された組合せから所望の組合せの選択がユーザから受け付けられると、設定手段が、この組合せが示す記録紙の各種情報を、上記記録紙サイズの検知の対象となった給紙カセットに関連付けて設定するようになっている。
【発明の効果】
【００１４】
請求項１に記載の発明によれば、ユーザが所望の記録紙サイズを選択すると、この記録紙サイズに組合せて記憶されている記録紙種類及び記録紙名称が表示されるので、ユーザは、表示されている記録紙名称に基づいて、所望の記録紙であるかを簡単に把握でき、所望の記録紙種類を容易に選択することができる。
【００１５】
請求項２及び請求項５に記載の発明によれば、ユーザが給紙カセットを選択すると、組合せ記憶手段に記憶されている、記録紙に関する各種情報の組合せが表示され、ユーザが所望の組合せを選択すれば、当該給紙カセットについて記録紙の各種情報を設定できる。そのため、給紙カセットに収容されている記録紙のサイズや種類等を、各給紙カセット毎に設定する際の操作を簡単にすることが可能になる。
【００１６】
請求項３に記載の発明によれば、ユーザが給紙カセットに記録紙を収容すると、記録紙サイズが検知され、この検知された記録紙サイズの含まれる組合せが組合せ記憶手段内に１つしかない場合は、当該給紙カセットに対する記録紙の設定が当該組合せの示す内容に従って自動的に行われるので、収容されている記録紙のサイズや種類等を給紙カセット毎に設定する際の操作を更に簡単にすることが可能になる。
【００１７】
請求項４に記載の発明によれば、ユーザが給紙カセットに記録紙を収容すると、記録紙サイズが検知され、この検知された記録紙サイズの含まれる組合せが組合せ記憶手段から読み出されて表示され、ユーザが所望の組合せを選択すれば、当該給紙カセットについての記録紙の各種情報を設定できる。そのため、収容されている記録紙のサイズや種類等を給紙カセット毎に設定する際の操作を更に簡単にすることが可能になる。
【発明を実施するための最良の形態】
【００１８】
以下、本発明に係る記録紙受付システム、記録紙設定システム及び記録紙設定プログラムの実施形態を図面に基づいて説明する。図１は、本発明の一実施形態に係る記録紙受付システム及び記録紙設定システムを備えた複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００１９】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２０】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２２】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２３】
本体部２は、複数の給紙カセットａ，ｂ，ｃと、手挿しトレイｄとからなる給紙部４６１を備えている。各給紙カセットａ，ｂ，ｃには、それぞれの給紙カセットから記録紙を１枚ずつ繰り出して記録部４０へ搬送する給紙ローラ４６２が設けられている。
【００２４】
さらに、本体部２は、給紙部４６１から搬送されてきた記録紙に画像を形成する記録部４０とを備える。記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２５】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２６】
図２は複合機１の概略構成を示す機能ブロック図、図３は組合せ記憶部１４０に記憶されている、記録紙サイズ、記録紙種類及び記録紙名称の組合せからなるデータテーブルの例を示す図である。複合機１には、装置全体の動作制御を司る制御部１００が備えられている。この制御部１００には、露光ランプ５１１及びＣＣＤ５１２等からなる原稿画像の読み取りが可能なスキャナ部５１と、電子写真方式等からなる記録部４０とが接続されている。また、制御部１００には、スキャナ部５１で読み取られた文書データが一時的に保存される等の作業領域として使用される画像メモリ７１と、大量の文書データを保存可能な記憶容量を有する大容量のＨＤＤ（内部記憶装置）７２が接続されている。
【００２７】
画像処理部７３は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ７１に書き込まれる。制御部１００は、画像メモリ７１に書き込まれた圧縮画像を、文書管理の対象となるファイルデータとしてＨＤＤ７２に格納する。また、登録文書のプリントアウト時には、ＨＤＤ７２又はインタフェイス部７５を介してネットワーク上の各コンピュータから、プリントアウト対象のファイルデータ（圧縮画像）が画像メモリ７１に書き出され、画像処理部７３は、当該圧縮されたファイルデータを伸張処理し、出力状態に応じた画像処理を施し、例えばレーザ露光の場合には、レーザ信号にアナログ変調する。このアナログ変調された信号に基づいて記録部４０でプリントアウトが行われる。
【００２８】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５を備える。
【００２９】
スキャナコントローラ１０１は、スキャナ部５１の動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部７４を制御する。ファクシミリ通信部７４には、データ送受信相手である相手先ファクシミリとの電話回線の接続を制御するＮＣＵ（Network Control Unit）が備えられている。
【００３０】
コピーコントローラ１０４は、コピー動作に必要な各部の動作制御を行うものである。プリンタコントローラ１０３は、プリンタ動作に必要な各部の動作制御を行うものである。ネットワークコントローラ１０５は、本複合機１とネットワーク上のコンピュータ等との間で行われるデータ送受信を制御するものである。ネットワークコントローラ１０５は、インタフェイス部７５を介して外部とデータを送受信させる。
【００３１】
さらに、制御部１００は、受付部（受付手段）１０６、表示制御部（表示制御手段）１０７、組合せ受付部（組合せ受付手段）１０８、検索部（検索手段）１１０、そして、設定部（設定手段）１０９を備える。
【００３２】
受付部１０６は、ユーザによって操作部４７から入力される所望の記録紙サイズ及び給紙カセットの選択を受け付ける。
【００３３】
検索部１１０は、受付部１０６によってユーザから受け付けられた記録紙サイズ、又は記録紙サイズ検知部１３０が検知した記録紙サイズを含む組合せを、組合せ記憶部１４０から検索して読み出す。
【００３４】
表示制御部１０７は、検索部１１０によって組合せ記憶部１４０から読み出された上記組合せを表示部４７３に表示させる。また、表示制御部１０７は、受付部１０６がユーザから給紙カセットの選択を受け付けたときに、組合せ記憶部１４０に記憶されている各組合せを表示部４７３に表示させる。
【００３５】
組合せ受付部１０８は、表示制御部１０７が表示部４７３に表示させた、上記記録紙サイズ、記録紙種類及び記録紙名称の組合せから、ユーザによる所望の組合せの選択を受け付ける。
【００３６】
設定部１０９は、表示部４７３に表示された上記各組合せから、ユーザによる所望の組合せの選択が組合せ受付部１０８で受け付けられた場合、この受け付けられた組合せが示す記録紙の各種情報（記録紙サイズ、記録紙種類、記録紙名称等。以下、同じ）と、受付部１０６でユーザからの選択が受け付けられた給紙カセットとを関連付けて設定する。なお、設定した内容は、設定部１０９が保有してもよいし、図略の記憶部に記憶させるようにしてもよい。
【００３７】
また、設定部１０９は、記録紙サイズ検知部１３０によって検知された記録紙サイズを含む組合せが、組合せ記憶部１４０内に１つしか記憶されていない場合には、この組合せが示す記録紙の各種情報と、上記録紙サイズ検知部１３０による記録紙サイズ検知の対象となった給紙カセットとを関連付けて設定する。
【００３８】
さらに、設定部１０９は、組合せ受付部１０８によって、表示部４７３に表示された組合せから所望の組合せの選択がユーザから受け付けられた場合、この組合せが示す記録紙の各種情報と、記録紙サイズ検知部１３０による記録紙サイズ検知の対象となった給紙カセットとを関連付けて設定する。
【００３９】
上述した制御部１００の各部は、回路等によるハードウェアで構成されてもよいし、さらには、制御部１００を構成するＣＰＵの動作を規定するプログラムを、プログラム記憶用のＨＤＤ又はＲＯＭに記憶させておき、当該ＣＰＵが当該プログラムに基づいて動作することによって、制御部１００が、上記各部として機能するようにしてもよい。
【００４０】
操作者から各種の操作指示が入力される操作部４７も、制御部１００に制御される。操作キー部４７０は、操作者によって印刷実行指示が入力されるスタートキーや、印刷部数等を入力するためのテンキー等からなる。表示部（表示手段）４７３は、各種複写動作の操作ガイド情報等を表示し、各種設定入力用にタッチパネル機能を有する液晶ディスプレイ等からなる。
【００４１】
さらに、制御部１００には、上述した給紙カセットａ，ｂ，ｃ及び手挿しトレイｄを備えた給紙部４６１が接続され、この給紙部４６１の給紙動作も制御部１００によって制御される。記録紙搬送機構７６は、用紙搬送路に設けられている搬送ローラ及びその駆動部からなり、給紙部４６１から給紙された記録紙を記録部４０まで搬送し、記録部４０で記録を終えた記録紙をスタックトレイ３又は排出トレイ４８等の排出部まで搬送する。
【００４２】
記録紙サイズ検知部（記録紙サイズ検知手段）１３０は、給紙部４６１の給紙カセットａ，ｂ，ｃ及び手挿しトレイｄに収容されている記録紙のサイズを検知する。記録紙サイズ検知部１３０の構成は、特に限定されないが、例えば、(1)給紙カセットａ，ｂ，ｃの内部底面又は手挿しトレイｄ上に設けられている用紙束の縦横の端部を整然と揃えるための可動レバーの位置に基づいて、記録紙サイズを算出する機構や、(2)給紙カセットａ，ｂ，ｃ又は手挿しトレイｄに載置された記録紙束の縦横端部を検知する光センサ等からの検出信号に基づいて、記録紙サイズを算出する機構等で構成される。
【００４３】
組合せ記憶部１４０は、記録紙サイズと、記録紙種類と、記録紙名称との組合せを記憶するものである。この組合せの各要素（記録紙サイズ、記録紙種類、記録紙名称等）は、例えば、操作部４７の操作キー部４７０からユーザによって入力される。この組合せ記憶部１４０には、例えば、図３に示すようなデータテーブルが記憶されている。例えば、用紙１〜用紙ＮまでＮ個の組合せが記憶可能であるとすると、用紙１〜用紙Ｎのそれぞれに、記録紙サイズとして、A4，A3，A5，B4，B5，Letter等からユーザが任意に選択したサイズと、記録紙種類として、普通紙、厚紙、再生紙、OHP用紙等からユーザが任意に選択した種類と、そして、記録紙名称として、操作部４７の表示部４７３に表示されたキーボード等からユーザによって入力された任意の名称とが登録され、これらユーザによって入力された記録紙サイズ、記録紙種類及び記録紙名称の組合せが、１組毎に別番号（用紙１〜用紙Ｎのいずれか）を付されて、上記データテーブルに記憶される。
【００４４】
次に、複合機１に備えられた記録紙受付システムによる記録紙受付処理について説明する。図４は記録紙受付システムによる記録紙受付処理を示すフローチャート、図５は組合せ選択時の表示画面の例を示す図である。この図４を用いて以下に説明する記録紙受付処理は、例えば、ユーザが複合機１でコピーを行う時に、コピー用紙として使用する記録紙を選択する場面で行われる処理である。
【００４５】
コピー等の印刷動作実行時に、ユーザによる操作部４７の操作で、受付部１０６が記録紙サイズの選択を受け付けると（Ｓ１でＹＥＳ）、検索部１１０が、当該受付部１０６によってユーザから受け付けられた記録紙サイズを含む組合せが、組合せ記憶部１４０内のデータテーブルに記憶されているかを検索する（Ｓ２）。
【００４６】
受付部１０６によってユーザから受け付けられた記録紙サイズを含む組合せが、組合せ記憶部１４０内のデータテーブルに記憶されている場合は（Ｓ３でＹＥＳ）、検索部１１０が組合せ記憶部１４０から当該組合せを読み出し、表示制御部１０７が、例えば、図５に示すように、表示部４７３に表示させる（Ｓ４）。例えば、この図５の表示画面で、ユーザが所望の組合せ表示部分を押下すると、押下された部分の色が変えて表示され、この状態で「ＯＫ」ボタン４７３１を押下すると、押下した部分に表示されている組合せが組合せ受付部１０８に受け付けられる。
【００４７】
上記のようにして、組合せ受付部１０８が、ユーザからの所望の組合せの選択を受け付けると（Ｓ５でＹＥＳ）、この受け付けた組合せを構成する記録紙サイズ及び記録紙種類に従って、制御部１００が、給紙部４６１から、記録紙搬送機構７６に記録紙を記録部４０まで搬送させ、記録部４０に印刷を実行させる（Ｓ６）。
【００４８】
また、ユーザから受け付けた記録紙サイズを含む組合せが、組合せ記憶部１４０内のデータテーブルに記憶されていない場合は（Ｓ３でＮＯ）、表示制御部１０７が、ユーザから受け付けた記録紙サイズについて設定可能な全ての記録紙種類を表示部４７３に表示させる（Ｓ７）。このように表示部４７３に、上記記録紙種類が表示されているときに、受付部１０６が、ユーザからの所望の組合せの記録紙種類を受け付けると（Ｓ８でＹＥＳ）、この受け付けた記録紙種類に従って、制御部１００が、記録紙搬送機構７６に給紙部４６１のいずれかから記録紙を記録部４０まで搬送させ、記録部４０に印刷を実行させる（Ｓ６）。
【００４９】
次に、複合機１に備えられた記録紙設定システムによる記録紙設定処理の第１実施形態について説明する。図６は記録紙設定システムによる記録紙設定処理の第１実施形態を示すフローチャート、図７は記録紙に関する情報を選択する場合における表示画面の例を示す図、図８は設定部１０９に保有されている、記録紙サイズ、記録紙種類、記録紙名称及び給紙カセットからなる組合せを記憶したデータテーブルの例を示す図である。この記録紙設定処理は、例えば、ユーザが複合機１の給紙カセットａ，ｂ，ｃ及び手挿しトレイｄについて、それに収容する記録紙のサイズ、種類、名称を登録する場面で行われる処理である。
【００５０】
ユーザによる操作部４７の操作で、受付部１０６が給紙カセットａ，ｂ，ｃ又は手挿しトレイｄからいずれかの選択を受け付けると（Ｓ１１でＹＥＳ）、すなわち、給紙カセット又は手挿しトレイのいずれに対して、収容する記録紙の設定を行うかの指示を受付部１０６が受け付けると、検索部１１０が、組合せ記憶部１４０のデータテーブル（図３）に記憶されている全ての組合せを読み出し、この読み出した全ての組合せを、表示制御部１０７が、例えば、図７に示すようにして、表示部４７３に表示させる（Ｓ１２）。表示された組合せの選択方法は、図５で説明したのと同様にすればよい。
【００５１】
これらの組合せが表示部４７３に表示されているときに、ユーザによって所望の組合せが選択され、この組合せの選択を組合せ受付部１０８が受け付けると（Ｓ１３でＹＥＳ）、設定部１０９は、Ｓ１１で受付部１０６が受け付けた給紙カセットと、Ｓ１３で受付部１０６が受け付けた組合せが示す記録紙の各種情報とを関連付けて設定する（Ｓ１４）。
【００５２】
また、上記組合せが表示部４７３に表示されているときに、ユーザによって「他の記録紙情報を入力」ボタン４７３３が押下されることにより、ユーザが手動で記録紙の各種情報を入力する旨の指示を組合せ受付部１０８が受け付けると（Ｓ１３でＮＯ）、表示制御部１０７は、各記録紙サイズと、各記録紙サイズに設定可能な全ての記録紙種類を表示部４７３に表示させる（Ｓ１５）。そして、受付部１０６が、ユーザから所望の記録紙サイズ及び記録紙種類の選択を受け付けると（Ｓ１６でＹＥＳ）、設定部１０９が、この受け付けた記録紙サイズ及び記録紙種類を、Ｓ１１で受付部１０６が受け付けた給紙カセットに関連付けて設定する（Ｓ１７）。なお、受付部１０６が、ユーザから所望の記録紙名称の入力を受け付けて、設定部１０９が当該記録紙名称を、記録紙サイズ、記録紙種類及び給紙カセットに関連付けて設定するようにしてもよい。
【００５３】
このように設定された内容は、例えば、図８に示すようなデータテーブルとして、組合せ記憶部１４０に記憶される。なお、図８中の給紙カセット欄の「ａ」「ｂ」「ｃ」「ｄ」は、給紙カセットａ，ｂ，ｃ又は手挿しトレイｄのいずれかであることを示す。また、図８中の「関連付け」欄の「用紙１」等は、図３に示す組合せに関連付けられていることを指す。図８中の給紙カセットｂのように、「関連付け」欄が空白であり、「サイズ」「種類」「名称」欄に項目が存在するものは、上記Ｓ１５乃至Ｓ１７で設定された場合を示している。
【００５４】
次に、複合機１に備えられた記録紙設定システムによる記録紙設定処理の第２実施形態について説明する。図９は記録紙設定システムによる記録紙設定処理の第２実施形態を示すフローチャートである。この図９を用いて以下に説明する記録紙設定処理は、上記第１実施形態と同様、例えば、ユーザが複合機１の給紙カセットａ，ｂ，ｃ及び手挿しトレイｄについて、それに収容する記録紙のサイズ、種類、名称を登録する場面で行われる処理である。
【００５５】
ユーザが、給紙カセットａ，ｂ，ｃ又は手挿しトレイｄのいずれかに記録紙を収容し、これら給紙カセットａ，ｂ，ｃ又は手挿しトレイｄに設けられている記録紙のサイズを、記録紙サイズ検知部１３０が検知すると（Ｓ２１でＹＥＳ）、この記録紙サイズ検知部１３０からの記録紙サイズを示す検知信号に基づいて、検索部１１０が、当該検知された記録紙サイズを含む組合せを、組合せ記憶部１４０から検索する（Ｓ２２）。
【００５６】
上記検知された記録紙サイズを含む組合せが、組合せ記憶部１４０に記憶されていない場合は（Ｓ２３でＮＯ）、表示制御部１０７は、Ｓ２１で検知された記録紙サイズに設定可能な全ての記録紙種類を表示部４７３に表示させる（Ｓ２８）。そして、受付部１０６が、ユーザから所望の記録紙種類の選択を受け付けると（Ｓ２９でＹＥＳ）、設定部１０９が、この受け付けた記録紙種類と、Ｓ２１で検知された記録紙サイズとを、Ｓ２１で記録紙サイズ選択の対象となった給紙カセットに関連付けて設定する（Ｓ３０）。なお、受付部１０６が、ユーザから所望の記録紙名称の入力を受け付けて、設定部１０９が、この記録紙名称、記録紙サイズ及び記録紙種類を給紙カセットに関連付けて設定するようにしてもよい。
【００５７】
また、上記検知された記録紙サイズを含む組合せが、組合せ記憶部１４０に記憶されている場合であって（Ｓ２３でＹＥＳ）、検索部１１０によって当該組合せが組合せ記憶部１４０から１つだけ読み出された場合は（Ｓ２４でＹＥＳ）、設定部１０９は、Ｓ２１で記録紙サイズ選択の対象となった給紙カセットに、当該組合せが示す記録紙の各種情報を関連付けて設定する（Ｓ３１）。
【００５８】
上記検知された記録紙サイズを含む組合せが、検索部１１０によって組合せ記憶部１４０から複数読み出された場合は（Ｓ２４でＮＯ）、表示制御部１０７は、当該複数の組合せを表示部４７３に表示させる（Ｓ２５）。この表示後、ユーザから所望の組合せの選択の入力を組合せ受付部１０８が受け付けると（Ｓ２６でＹＥＳ）、設定部１０９は、Ｓ２１で記録紙サイズ選択の対象となった給紙カセットに、当該受け付けられた組合せが示す記録紙の各種情報を関連付けて設定する（Ｓ２７）。
【００５９】
複合機１に備えられた記録紙受付システムによる記録紙受付処理の第２実施形態について説明する。図１０は記録紙受付システムによる記録紙受付処理の第２実施形態を示すフローチャートである。この図１０を用いて以下に説明する記録紙受付処理は、例えば、ユーザが複合機１でコピーを行う時に、コピー用紙として使用する記録紙を選択する場面で行われる処理である。
【００６０】
コピー等の印刷動作実行時に、ユーザが原稿載置部６１に載置した原稿のサイズが検知されると（Ｓ５１でＹＥＳ）、検索部１１０が、検知した原稿サイズと同じ記録紙サイズを含む組合せが、組合せ記憶部１４０に記憶されている上記図８のデータテーブルに記憶されているかを検索する（Ｓ５２）。
【００６１】
上記のような組合せが、組合せ記憶部１４０内の上記データテーブル記憶されている場合であって（Ｓ５３でＹＥＳ）、当該組合せが上記データテーブルに１つのみ存在する場合は（Ｓ５４でＹＥＳ）、制御部１００は、当該組合せに関連付けられている給紙カセットから記録紙を給紙させ（Ｓ６０）、記録部４０に印刷を実行させる（Ｓ５９）。
【００６２】
また、検知した原稿サイズと同じ記録紙サイズを含む組合せが上記データテーブルに複数存在する場合は（Ｓ５４でＮＯ）、表示制御部１０７が当該複数の組合せを表示部４７３に表示させる（Ｓ５６）。この表示後、ユーザから所望の組合せの選択の入力を組合せ受付部１０８が受け付けると（Ｓ５７でＹＥＳ）、制御部１００は、当該受け付けられた組合せに関連付けられている給紙カセットから記録紙を給紙させ（Ｓ５８）、記録部４０に印刷を実行させる（Ｓ５９）。
【００６３】
なお、検知した原稿サイズと同じ記録紙サイズを含む組合せが上記データテーブルに記憶されていない場合は（Ｓ５３でＮＯ）、表示制御部１０７が、当該記録紙サイズについて設定可能な全ての記録紙種類を表示部４７３に表示させる（Ｓ６１）。このように表示部４７３に、上記記録紙種類が表示されているときに、受付部１０６が、ユーザからの所望の組合せの記録紙種類を受け付けると（Ｓ６２でＹＥＳ）、制御部１００は、記録紙搬送機構７６に手挿しトレイｄから記録紙を給紙させ、記録部４０に印刷を実行させる（Ｓ５９）。
【００６４】
なお、本発明は上記実施の形態の構成に限られず種々の変形が可能である。例えば、上記実施形態では、組合せ記憶部１４０に記憶されている組合せを構成する、記録紙に関する各種情報は、記録紙サイズ、記録紙種類、記録紙名称とされているが、例えば、(1)これらに加えて他の要素を追加して組合せを構成してもよいし、(2)記録紙種類、記録紙名称に代えて別の要素としてもよい。
【００６５】
また、上記実施形態では、本発明に係る記録紙受付システム、記録紙設定システム及び記録紙設定プログラムを備える画像形成装置を、複合機１として説明しているが、複写機やプリンタ、ファクシミリ装置等の他の画像形成装置であってもよい。
【図面の簡単な説明】
【００６６】
【図１】本発明の一実施形態に係る記録紙受付システム及び記録紙設定システムを備えた複合機の内部構成を概略的に示す側面図である。
【図２】図１の複合機の概略構成を示す機能ブロック図である。
【図３】組合せ記憶部に記憶されている、記録紙サイズ、記録紙種類及び記録紙名称の組合せからなるデータテーブルの例を示す図である。
【図４】本発明に係る記録紙受付システムによる記録紙受付処理を示すフローチャートである。
【図５】組合せ選択時の表示画面の例を示す図である。
【図６】本発明に係る記録紙設定システムによる記録紙設定処理の第１実施形態を示すフローチャートである。
【図７】記録紙に関する情報を選択する場合における表示画面の例を示す図である。
【図８】設定部に保有されている、記録紙サイズ、記録紙種類、記録紙名称及び給紙カセットからなる組合せを記憶したデータテーブルの例を示す図である。
【図９】本発明に係る記録紙設定システムによる記録紙設定処理の第２実施形態を示すフローチャートである。
【図１０】本発明に係る記録紙受付システムによる記録紙受付処理の第２実施形態を示すフローチャートである。
【符号の説明】
【００６７】
１          複合機
４７        操作部
４７３      表示部
７４        ファクシミリ通信部
１００      制御部
１０６      受付部
１０７      表示制御部
１０８      受付部
１０９      設定部
１１０      検索部
１３０      記録紙サイズ検知部
１４０      組合せ記憶部
４６１      給紙部
ａ，ｂ，ｃ  給紙カセット
ｄ          手挿しトレイ
【図１】
2005298202.tif 000003
【図２】
2005298202.tif 000004
【図３】
2005298202.tif 000005
【図４】
2005298202.tif 000006
【図５】
2005298202.tif 000007
【図６】
2005298202.tif 000008
【図７】
2005298202.tif 000009
【図８】
2005298202.tif 000010
【図９】
2005298202.tif 000011
【図１０】
2005298202.tif 000012